(57)【要約】      （修正有）【課題】車両の暖機制御装置に関し、充電設備の仕様に依存することなく適切に暖機制御を実施する。【解決手段】外部電源でバッテリー６を充電するシステムを具備した車両の暖機制御装置において、外部電源の電力供給を受けて発熱する暖機用のヒーター７を車両に搭載する。また、外部電源の許容電流値を検出する電流検出手段２と、外部電源の出力電圧値Vを検出する電圧検出手段３とを設ける。さらに、電流検出手段２で検出された許容電流値と電圧検出手段３で検出された出力電圧値Vに基づき、ヒーター７の電気抵抗値を変更する抵抗変更手段５を設ける。【選択図】図２
2015027220.tif 000002
【特許請求の範囲】
【請求項１】
外部電源でバッテリーを充電するシステムを具備した車両の暖機制御装置であって、
前記車両に搭載され、前記外部電源の電力供給を受けて発熱する暖機用のヒーターと、
前記外部電源の許容電流値を検出する電流検出手段と、
前記外部電源の出力電圧値を検出する電圧検出手段と、
前記電流検出手段で検出された前記許容電流値と前記電圧検出手段で検出された前記出力電圧値とに基づき、前記ヒーターの電気抵抗値を変更する抵抗変更手段と、
を備えたことを特徴とする、車両の暖機制御装置。
【請求項２】
前記抵抗変更手段が、前記ヒーターの電気抵抗値を、前記許容電流値に対する前記出力電圧値の比に応じた値に変更する
ことを特徴とする、請求項１記載の車両の暖機制御装置。
【請求項３】
前記車両と前記外部電源とを接続する充電ケーブルに内蔵された制御ボックス内に設けられ、前記許容電流値に対応するデューティ比のパイロット信号を出力するパイロット信号出力手段を備え、
前記電流検出手段が、前記パイロット信号出力手段から出力された前記パイロット信号の前記デューティ比に基づいて前記許容電流値を検出する
ことを特徴とする、請求項１又は２記載の車両の暖機制御装置。
【請求項４】
前記ヒーターが、電気抵抗の異なる複数の抵抗器及びスイッチを有する
ことを特徴とする、請求項１〜３の何れか１項に記載の車両の暖機制御装置。
【請求項５】
前記ヒーターが、電気抵抗を変更可能に形成された可変抵抗器を有する
ことを特徴とする、請求項１〜４の何れか１項に記載の車両の暖機制御装置。
【発明の詳細な説明】
【技術分野】
【０００１】
本発明は、外部電源による充電が可能なバッテリーを備えた車両の暖機制御装置に関する。
【背景技術】
【０００２】
従来、極低温環境下における車両の始動性を改善するための制御の一つとして、電気ヒーターによる暖機制御が知られている。ガソリンエンジンやディーゼルエンジンを搭載したハイブリッド自動車では、エンジンブロックヒーターと呼ばれる電気ヒーターをエンジンに内蔵させ、エンジンブロックを直接的に暖めることによってエンジンの始動性を改善する手法が普及している。また、エンジンを搭載していない電気自動車においても、環境温度が低いほどバッテリー性能が低下する。そのため、バッテリーの周囲や内部に取り付けられたバッテリーヒーターを用いて、バッテリーを昇温させること（すなわちバッテリーの暖機）が提案されている（例えば、特許文献１参照）。
【０００３】
ところで、上記のようなハイブリッド自動車や電気自動車では、車両に内蔵される走行用バッテリーの電力を用いて電気ヒーターを作動させることができる。一方、例えば車両のオーナー宅で深夜電力を利用した走行用バッテリーの外部充電が実施されるような場合には、翌朝の車両始動時にも外部電力を利用して電気ヒーターを作動させることが可能である。このような制御により、走行用バッテリーに蓄えられた電力が温存され、車両の航続距離が延長されるものと考えられる。
【先行技術文献】
【特許文献】
【０００４】
【特許文献１】特開2009-224256号公報
【発明の概要】
【発明が解決しようとする課題】
【０００５】
しかしながら、外部充電の仕様は充電設備によって大きく相違する。例えば、国内の家庭用給電設備に接続された充電設備の仕様では、単相交流100[V]の給電方式と単相交流200[V]の給電方式とが混在している。また、充電設備から取り出すことのできる許容電流の大きさも、それぞれの給電方式や家庭用給電設備の契約電流値によって相違しうる。
【０００６】
そのため、外部充電設備の仕様を考慮せずに外部電力を利用して電気ヒーターを作動させると、外部充電器側に作用する電気的負荷が過剰となり、家庭用給電設備のブレーカーが作動してしまう恐れがある。あるいは、外部充電器の給電能力に対して電気ヒーターの負荷が過小である場合には、車両が暖機するまでにかかる時間が長くなり、暖機効率や車両の始動性の低下を招く。特に、海外で販売される車両の場合には、販売先の地域毎に充電規格が相違する場合があるため、このような課題が顕著となり、効率的に外部電源の電力を活用することが難しい。
【０００７】
本件の目的の一つは、上記のような課題に鑑み創案されたもので、充電設備の仕様に依存することなく適切に暖機制御を実施することができるようにした車両の暖機制御装置を提供することである。なお、この目的に限らず、後述する発明を実施するための形態に示す各構成により導かれる作用効果であって、従来の技術によっては得られない作用効果を奏することも、本件の他の目的として位置づけることができる。
【課題を解決するための手段】
【０００８】
（１）ここで開示する車両の暖機制御装置は、外部電源でバッテリーを充電するシステムを具備した車両の暖機制御装置である。この暖機制御装置は、前記車両に搭載され、前記外部電源の電力供給を受けて発熱する暖機用のヒーターを備える。また、前記外部電源の許容電流値を検出する電流検出手段と、前記外部電源の出力電圧値を検出する電圧検出手段とを備える。さらに、前記電流検出手段で検出された前記許容電流値と前記電圧検出手段で検出された前記出力電圧値とに基づき、前記ヒーターの電気抵抗値を変更する抵抗変更手段を備える。
【０００９】
ここでいう「許容電流値」とは、充電システムを適正に動作させるための条件となる電流値であり、例えば前記外部電源の定格電流値に相当するものである。一般に、定格電流値は、所定の工業規格や国家規格，国際規格等に基づいて定められる。ただし、充電システムの保護性を向上させるべく、定格電流値とは異なる大きさの（定格電流よりも小さい）許容電流値を独自に設定してもよい。
また、ここでいう「出力電圧値」とは、例えば所定の工業規格や国家規格，国際規格等に基づいて定められるものであって、前記外部電源の定格電圧値に相当する。あるいは、前記外部電源から供給されている電圧の実測値を「出力電圧値」としてもよい。
【００１０】
（２）前記抵抗変更手段が、前記ヒーターの電気抵抗値を、前記許容電流値に対する前記出力電圧値の比に応じた値に変更することが好ましい。
これにより、前記ヒーターに通電される電流値が前記許容電流値に一致し、前記ヒーターでの暖機効率が向上する。
【００１１】
（３）前記車両と前記外部電源とを接続する充電ケーブルに内蔵された制御ボックス内に設けられ、前記許容電流値（例えば、前記外部電源や前記充電ケーブルの定格電流値）に対応するデューティ比のパイロット信号を出力するパイロット信号出力手段を備えることが好ましい。この場合、前記電流検出手段が、前記パイロット信号出力手段から出力された前記パイロット信号の前記デューティ比に基づいて前記許容電流値を検出することが好ましい。
【００１２】
（４）また、前記ヒーターが、電気抵抗の異なる複数の抵抗器及びスイッチを有することが好ましい。
（５）あるいは、前記ヒーターが、電気抵抗を変更可能に形成された可変抵抗器を有することが好ましい。なお、前記複数の抵抗器と前記可変抵抗器とを併用してもよい。
【発明の効果】
【００１３】
開示の車両の暖機制御装置によれば、外部電源の出力電圧値及び許容電流値に基づいてヒーターの電気抵抗値を変更することで、どのような設備仕様に対しても適切にヒーターを作動させて暖機を行うことができ、車両の始動性を向上させることができる。
【図面の簡単な説明】
【００１４】
【図１】一実施形態に係る暖機制御装置が適用された車両の構成を例示する側面図である。
【図２】暖機制御装置のブロック構成及び回路を模式的に示す回路図である。
【図３】パイロットコントローラーの制御内容を例示するフローチャートである。
【図４】車載コントローラーでの制御内容を例示するフローチャートである。
【発明を実施するための形態】
【００１５】
図面を参照して、実施形態としての車両の暖機制御装置について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１６】
［１．装置構成］
本実施形態の車両の暖機制御装置は、車両駆動用のバッテリー６を外部電源で充電するシステムを具備した車両の暖機制御装置であり、図１に示す車両１０に搭載される。この車両１０は、バッテリー６に蓄えられた電力でモーター２０（車両駆動モーター）を駆動する電気自動車又はハイブリッド自動車である。モーター２０は、電動機としての機能と発電機としての機能とを兼ね備えた電動発電機である。また、バッテリー６は、外部電源から供給される電力やモーター２０での回生電力で充電される蓄電装置であり、モーター２０の電源として車両１０に搭載される。なお、外部電源とは、車両１０の外部に設けられる充電設備であり、例えば家庭用充電設備や公共用充電設備等がこれに含まれる。
【００１７】
車両１０の側面における外表面には、外部電源でバッテリー６を充電する際に充電ケーブル１１を接続するためのインレット１５（電力引き込み口）が設けられる。また、インレット１５とバッテリー６とを接続する充電回路上には、車載充電器８が設けられる。車載充電器８は、外部電源から供給される交流電流を直流電流に変換してバッテリー６を充電するための電力変換装置である。例えば、外部電源から入力された交流電流は、車載充電器８で直流電流に変換され、バッテリー６側に給電される。車載充電器８の動作は、車両１０に搭載された車載コントローラー１で制御される。
【００１８】
ここで、外部電源の仕様の種類として以下の三種類を想定する。なお、世界各国で使用されている家庭用コンセントの定格電圧は、単相交流電源で100〜240[V]であり、三相交流電源では200〜400[V]である。
【００１９】
【表１】
2015027220.tif 000003
【００２０】
バッテリー６の近傍には、ヒーター７が設けられる。このヒーター７は、バッテリー６から供給される電流や外部電源から供給される電流を用いて、車両１０の暖機用の熱を発生させる発熱装置である。ここでいう暖機用の熱とは、車両の冷態始動時にパワープラント（動力装置）を暖めるための熱全般を意味し、例えばバッテリー６や走行用のモーター２０を昇温させるために用いられる。また、電動モーターの他にエンジンを備えたハイブリッド車両の場合には、エンジン本体やエンジンオイル，エンジン冷却水，その他の車載装置等を暖めるためにその熱が用いられる。本実施形態では、おもに外部電源によるバッテリー６の充電後に、バッテリー６の昇温のためにヒーター７が用いられるものとする。なお、バッテリー６を昇温させる暖機制御は、バッテリー６の充電後だけでなく、充電前や充電中に実施してもよい。
【００２１】
また、図１に示すように、充電ケーブル１１の一端には充電ガン１２が設けられ、その先端には車両のインレット１５に対して接続されるコネクター１２ａが設けられる。充電ケーブル１１の他端には、家庭用充電設備や公共用充電設備のコンセント１６に接続されるプラグ１４が設けられる。このコンセント１６は、図示しない電気配線を介して外部電源（例えば、商用電源や自家発電電源等）に接続される。
【００２２】
充電ケーブル１１のプラグ１４から充電ガン１２に至る電力供給路の中途には、図２に示すように、パイロットコントローラー９（パイロット信号出力手段）及びリレー１９を内蔵したコントロールボックス１３が介装される。リレー１９は、パイロットコントローラー９によって断接制御される継電器であり、外部電源から供給される電流を車両１０側に供給する接続状態と電流を遮断する切断状態とを切り換えるように機能する。また、パイロットコントローラー９は、リレー１９の断接状態を制御するとともに、外部電源による給電状態や外部電源の許容電流（あるいは定格電流）の大きさといったさまざまな情報を車両１０側に伝達するためのパイロット信号を出力するものである。なお、一般的なパイロットコントローラー９の機能は、車両１０の仕向け先の国家規格や工業規格，国際規格等に準拠したものとされる。
【００２３】
図１に示すように、車室内の任意の位置には、充電許可スイッチ１７及び暖機ヒータースイッチ１８が設けられる。充電許可スイッチ１７は、外部電源でバッテリー６を充電する場合にオン状態とされ、充電時以外にはオフ状態とされるスイッチである。充電許可スイッチ１７がオン状態であることは、外部充電を実施するための必要条件とされる。また、暖機ヒータースイッチ１８は、車両１０の暖機時にオン状態とされ、非暖機時にオフ状態とされるスイッチである。暖機ヒータースイッチ１８がオン状態であることは、暖機制御を実施するための必要条件とされる。
【００２４】
これらの充電許可スイッチ１７及び暖機ヒータースイッチ１８はそれぞれ、ユーザーのマニュアル操作によってオン／オフの断接状態を切り換えられるものとしてもよいし、所定の制御条件に応じて車載コントローラー１が自動的に切り換えるものとしてもよい。本実施形態では、マニュアル操作によるオン／オフの切り換えが可能であるとともに、所定条件の成立時に車載コントローラー１が自動的に断接状態を切り換えることのできる充電許可スイッチ１７，暖機ヒータースイッチ１８が適用されている。
【００２５】
バッテリー６の内部には、バッテリー６に内蔵された電池セルの温度や電池ケース内部の温度をバッテリー温度Tとして検出する温度センサー２４が設けられる。ここで検出されたバッテリー温度Tの情報は、車載コントローラー１に伝達される。
【００２６】
［２．回路構成］
［２−１．ケーブル側］
図２に示すように、充電ケーブル１１のプラグ１４からコントロールボックス１３までの間には、二本の電源線Ｌ１とアースに接続されるアース線Ｌ２とが配線される。一方、コントロールボックス１３から充電ガン１２のコネクター１２ａまでの間には、これらの電源線Ｌ１，アース線Ｌ２に加えて、信号線Ｌ３が配線される。この信号線Ｌ３は、車載コントローラー１とパイロットコントローラー９との間で情報をやり取りするためのライン（信号ライン）である。
【００２７】
コントロールボックス１３内のリレー１９は、二本の電源線Ｌ１のそれぞれに介装される。パイロットコントローラー９は、リレー１９よりもプラグ１４側の電源線Ｌ１から分岐した受電ラインに接続されており、プラグ１４が外部電源に接続されると同時に起動する。また、パイロットコントローラー９内には、リレー１９よりもコネクター１２ａ側の電源線Ｌ１の漏電を検出するための漏電検出回路Ｄ１が設けられる。
【００２８】
パイロットコントローラー９は、外部電源が供給可能な電流（許容電流，定格電流）の大きさに応じたパイロット信号を、信号線Ｌ３を介して車両１０側へ伝達する。このパイロット信号は、外部電源の許容電流の大きさに応じたデューティ比の方形波とされる。なお、外部電源の許容電流の大きさは、車両１０の仕向け先となる地域に応じて異なる。パイロットコントローラー９には、車両１０の仕向け地に応じて、外部電源の許容電流の目安となる大きさが予め記憶されている。パイロットコントローラー９から出力されたパイロット信号は、車両１０側の車載コントローラー１に伝達される。これを受けた車載コントローラー１では、パイロット信号のデューティ比に基づいて外部電源の許容電流の大きさが把握される。
【００２９】
信号線Ｌ３には、抵抗素子Ｒ１が介装されるとともに、抵抗素子Ｒ１よりもコネクター１２ａ側から分岐した信号電圧検出ラインＤ２が設けられる。信号電圧検出ラインＤ２は、抵抗素子Ｒ１よりもコネクター１２ａ側の電圧を検出し、これを信号電圧としてパイロットコントローラー９に伝達する。この信号電圧検出ラインＤ２で検出される信号電圧は、信号線Ｌ３に接続される車両１０側の信号線Ｌ６の抵抗値に応じて変化する。パイロットコントローラー９はこの信号電圧をモニターすることにより、コネクター１２ａの接続状態や車両１０側の各種スイッチの操作状態を識別する。
【００３０】
［２−２．車両側］
コネクター１２ａ及びインレット１５を挟んだ車両１０側にも、上記の電源線Ｌ１，アース線Ｌ２，信号線Ｌ３のそれぞれに対応する電源線Ｌ４，アース線Ｌ５，信号線Ｌ６が配線される。ヒーター７及び車載充電器８は、図２に示すように、電源線Ｌ４に対して並列に接続される。また、バッテリー６は、車載充電器８に対して充電線Ｌ７を介して接続される。車載充電器８からバッテリー６に充電される電力の大きさやヒーター７で熱に変換される電力の大きさは、車載コントローラー１によって制御される。
【００３１】
ヒーター７の内部には、電気抵抗の異なる複数の抵抗器Ｈ１，Ｈ２が設けられるとともに、各抵抗器Ｈ１，Ｈ２の通電状態を制御するためのスイッチ７ａ，７ｂが設けられる。図２では、抵抗器Ｈ１，Ｈ２及びスイッチ７ａ，７ｂが二個ずつ設けられたヒーター７が例示されている。以下、これらの抵抗器Ｈ１，Ｈ２及びスイッチ７ａ，７ｂを区別して説明する際には、接頭辞（第一，第二）を付して説明する。これらの第一抵抗器Ｈ１，第二抵抗器Ｈ２は、各々が通電を受けて発熱する抵抗発熱体であり、電源線Ｌ４に対して互いに並列となるように介装される。
【００３２】
これらの抵抗器Ｈ１，Ｈ２の電気抵抗の大きさは外部電源の仕様に応じて設定される。本実施形態における第一抵抗器Ｈ１の電気抵抗は15[Ω]であり、第二抵抗器Ｈ２の電気抵抗は30[Ω]である。また、第一抵抗器Ｈ１には第一スイッチ７ａが直列に接続され、第二抵抗器Ｈ２には第二スイッチ７ｂが直列に接続される。したがって、外部電源から給電されるのは、第一抵抗器Ｈ１及び第二抵抗器Ｈ２のうち、オン状態のスイッチ７ａ，７ｂに対応するもののみとなる。第一スイッチ７ａ及び第二スイッチ７ｂの断接状態は、車載コントローラー１で制御される。
【００３３】
信号線Ｌ６には、インレット１５から車載コントローラー１側へと向かう電流のみを流す整流器が介装される。また、信号線Ｌ６のインレット１５側とは反対側の端部は、車載コントローラー１に接続される。これにより、車載コントローラー１は、パイロットコントローラー９側から伝達される信号線Ｌ３のパイロット信号を検知し、これに基づいてヒーター７及び車載充電器８を制御する。
【００３４】
また、アース線Ｌ５と信号線Ｌ６との間を梯子の横木状に接続するように、複数の抵抗回路２１〜２３が設けられる。これらの抵抗回路２１〜２３は、車載コントローラー１及びパイロットコントローラー９のそれぞれがコネクター１２ａ及びインレット１５の接続状態，充電許可スイッチ１７の操作状態，暖機ヒータースイッチ１８の操作状態等を検出するための回路である。図２では、二つの抵抗素子Ｒ２，Ｒ３が介装された電気回路を例示する。
【００３５】
第一の抵抗回路２１は、抵抗素子Ｒ３が介装されたものである。コネクター１２ａ及びインレット１５が接続されると、アース線Ｌ２，Ｌ５を介して信号線Ｌ３が閉回路となる。これにより、信号電圧検出ラインＤ２には、抵抗素子Ｒ１，Ｒ３の抵抗分圧値に応じた所定の電圧値が発生する。
【００３６】
第二の抵抗回路２２は、抵抗素子Ｒ２及び充電許可スイッチ１７が介装されたものである。充電許可スイッチ１７がオンのとき、信号電圧検出ラインＤ２には、抵抗素子Ｒ１，Ｒ２，Ｒ３の抵抗分圧値に応じた所定の電圧値が発生する。このような信号電圧検出ラインＤ２の信号電圧に基づき、パイロットコントローラー９は充電許可スイッチ１７がオンであるか否かを判断する。この信号電圧は車載コントローラー１にも伝達されるため、車載コントローラー１も充電許可スイッチ１７がオンであるか否かを判断可能である。
【００３７】
第三の抵抗回路２３は、第二の抵抗回路２２の抵抗素子Ｒ２と充電許可スイッチ１７との間から分岐して形成された回路上に暖機ヒータースイッチ１８が介装されたものである。充電許可スイッチ１７，暖機ヒータースイッチ１８の何れかがオンのとき、信号電圧検出ラインＤ２には、抵抗素子Ｒ１，Ｒ２，Ｒ３の抵抗分圧値に応じた所定の電圧値が発生する。パイロットコントローラー９はこのような信号電圧検出ラインＤ２の信号電圧に基づいて充電許可スイッチ１７，暖機ヒータースイッチ１８の操作状態を判断する。
【００３８】
なお、パイロットコントローラー９でのリレー１９の制御に関しては、充電許可スイッチ１７，暖機ヒータースイッチ１８のそれぞれの操作状態を区別する必要はないが、例えば図示しない検出回路を利用してこれらの操作状態を区別する構成としてもよい。同様に、車載コントローラー１も図示しない検出回路で充電許可スイッチ１７及び暖機ヒータースイッチ１８の操作状態を個別にモニター可能である。
【００３９】
［３．制御構成］
［３−１．概要］
上記の車載コントローラー１（暖機制御装置）及びパイロットコントローラー９は、例えばCPU（Central Processing Unit），MPU（Micro Processing Unit）等のマイクロプロセッサや、ROM(Read Only Memory)，RAM(Random Access Memory)，補助記憶装置，インターフェイス装置等を集積した電子デバイスであり、本車両１０の充電制御及び暖機制御を司るものである。
【００４０】
車載コントローラー１は、車両１０に設けられた車載ネットワーク網の通信ラインに接続される。車載ネットワーク上には、例えばモーター制御装置やエンジン制御装置，ブレーキ制御装置，変速機制御装置，空調制御装置，電装品制御装置といったさまざまな公知の電子制御装置が互いに通信可能に接続される。パイロットコントローラー９は、少なくとも信号線Ｌ３，Ｌ６を介して車載コントローラー１との間で情報伝達が可能である。なお、図示しない車載ネットワーク網の通信バスを車載コントローラー１とパイロットコントローラー９との間に設けてもよい。
【００４１】
ここで、車載コントローラー１及びパイロットコントローラー９の機能を説明する。
パイロットコントローラー９は、リレー１９の断接を切り換える機能と、外部電源側の許容電流の情報を車載コントローラー１に伝達する機能とを有する。リレー１９を接続する条件としては、例えば車両１０と充電ガン１２とが接続され、かつ、充電許可スイッチ１７がオン状態であることとする。このような所定の条件の成立時に、パイロットコントローラー９はリレー１９を接続する。また、パイロットコントローラー９は、外部電源の許容電流の大きさに対応するデューティ比のパイロット信号を生成し、このパイロット信号を信号線Ｌ３に出力する。
【００４２】
車載コントローラー１は、外部電源によるバッテリー６の充電制御を行う機能と、外部充電の完了後に暖機制御を行う機能とを持つ。外部電源による充電制御の開始条件は、例えば車両１０が外部電源に接続され、外部電源から給電がなされていることと、充電許可スイッチ１７がオン状態であることとする。また、車載コントローラー１は、外部電源による充電制御の完了後に車両１０の暖機制御を実施する。なお、バッテリー６がすでに満充電の場合には、暖機制御のみを実施する。
【００４３】
［３−２．制御ブロック］
上記の暖機制御を実施するためのするソフトウェア又はハードウェアとして、車載コントローラー１には、電流検出部２，電圧検出部３，条件判定部４及び抵抗変更部５が設けられる。これらの各要素での処理内容は、例えばアプリケーションプログラムとしてROM，RAM，補助記憶装置，リムーバルメディア等に記録される。また、プログラムの実行時には、プログラムの内容がROM，RAMのメモリ空間に展開され、マイクロプロセッサによって実行される。
【００４４】
電流検出部２（電流検出手段）は、信号線Ｌ６を介してパイロットコントローラー９から伝達されるパイロット信号のデューティ比に基づき、外部電源の許容電流値I[A]を検出するものである。外部電源の許容電流値Iとは、外部電源から引き出すことのできる最大の電流値（充電システムを適正に動作させるための条件となる電流値）であり、外部電源の定格電流値に相当する。一般に、定格電流値は、所定の工業規格や国家規格，国際規格等に基づいて定められる。ただし、電源設備や充電ケーブル１１の保護性を向上させるべく、定格電流値とは異なる大きさの（定格電流よりも小さい）許容電流値Iを設定してもよい。
【００４５】
また、許容電流値Iの設定は、バッテリー温度Tに応じて補正するようにしてもよい。例えば、バッテリー温度Tが所定温度T１以上（所定温度T１は後述する所定温度T０より小さい値とする）である場合には、許容電流値Iを低く設定するようにしてもよい。言い換えれば、バッテリー温度Tが高温であるほど許容電流値Iを小さく設定してもよい。このような設定により、暖機制御の開始条件は成立しているもののバッテリー６の暖機の必要性が比較的小さい場合に、ヒーター７の出力を低減できる。
【００４６】
外部電源の仕様が上記の仕様Ａ又は仕様Ｂである場合、ここで検出される許容電流値Iは8[A]となる。また、外部電源の仕様が上記の仕様Ｃである場合には、許容電流値Iが16[A]となる。ここで検出された許容電流値Iの情報は、抵抗変更部５に伝達される。
【００４７】
電圧検出部３（電圧検出手段）は、外部電源の出力電圧値V[V]を検出するものである。ここでは、車両１０の電源線Ｌ４に実際に供給されている交流電圧の実効値（公称電圧）が取得される。外部電源の仕様が上記の仕様Ａの場合、ここで検出される出力電圧値Vは120[V]となる。また、外部電源の仕様が上記の仕様Ｂ又は仕様Ｃである場合には、出力電圧値Vが240[V]となる。ここで検出された出力電圧値Vの情報は、抵抗変更部５に伝達される。なお、実測された電圧値の代わりに、外部電源の定格電圧値を出力電圧値Vとして検出するような構成としてもよい。
【００４８】
条件判定部４は、外部電源による暖機制御の開始条件，終了条件を判定するものである。ここでは、暖機制御を実施するか否かが判定される。なお、充電制御が実施されているときには、その充電制御が終了した後に、暖機制御を実施するか否かが判定される。また、暖機制御の実施中には、暖機制御を終了するか否かが判定される。
【００４９】
暖機制御の開始条件は、例えば暖機ヒータースイッチ１８がオン状態であること、上記の充電制御が終了したことや、バッテリー温度Tが所定温度T０未満であること等である。本実施形態の条件判定部４では、暖機ヒータースイッチ１８がオン状態であれば、暖機制御の開始条件が成立したと判定される。ただし、暖機ヒータースイッチ１８がオン状態であっても、充電許可スイッチ１７もオン状態であれば、充電制御が完了してから暖機制御が実施される。
【００５０】
また、暖機制御の終了条件は、例えばバッテリー温度Tが所定温度T0以上になったことや、暖機制御の継続時間が所定時間以上になったこと、暖機ヒータースイッチ１８がマニュアル操作でオフに切り換えられたこと等である。本実施形態の条件判定部４では、バッテリー温度Tが所定温度T0以上になった時点で、暖機制御の終了条件が成立したと判定される。ここで判定された結果は、抵抗変更部５に伝達される。
【００５１】
抵抗変更部５（抵抗変更手段）は、暖機制御の開始条件が成立しているときに、外部電源からの給電仕様に応じてヒーター７の電気抵抗値R[Ω]を変更するものである。ここでは、電流検出部２で検出された許容電流値Iと電圧検出部３で検出された出力電圧値Vとに基づいて、ヒーター７の電気抵抗値Rが制御される。ここで制御される電気抵抗値Rは、許容電流値Iに対する出力電圧値Vの比の値に応じた大きさとされる。
【００５２】
例えば、外部電源の仕様が上記の仕様Ａ（電流値8[A]，電圧値120[V]）の場合には、ヒーター７の電気抵抗値Rが15[Ω]とされる。つまり、電流値8[A]に対する電圧値120[V]の比〔(120/8)=15〕の値に一致するように、ヒーター７の電気抵抗値Rが設定される。このとき、ヒーター７の第一スイッチ７ａのみがオン状態に制御されて、第一抵抗器Ｈ１のみに通電される。
【００５３】
一方、仕様Ｂ（電流値8[A]，電圧値240[V]）の場合には、電気抵抗値Rが30[Ω]とされる。つまり、第二スイッチ７ｂのみがオン状態に制御されて、第二抵抗器Ｈ２のみに通電される。また、仕様Ｃ（電流値16[A]，電圧値240[V]）の場合には、仕様Ａと同じく15[Ω]とされる。つまり、ヒーター７の第一スイッチ７ａのみがオン状態に制御されて、第一抵抗器Ｈ１のみに通電される。
【００５４】
条件判定部４で暖機制御の終了条件が成立した場合には、抵抗変更部５が全てのスイッチ７ａ，７ｂをオフ状態に制御する。これにより、ヒーター７への通電が遮断され、暖機制御が終了する。
【００５５】
［４．フローチャート］
［４−１．パイロットコントローラー］
図３は、パイロットコントローラー９で実施される制御の手順を示すフローチャートである。パイロットコントローラー９は、プラグ１４が外部電源のコンセント１６に接続されると通電され、リレー１９の断接状態とパイロット信号の出力とを所定の周期（例えば、数[ms]周期）で繰り返し制御する。
【００５６】
ステップＡ１０では、充電ガン１２のコネクター１２ａが車両１０のインレット１５に接続されているか否かが判定される。ここでは、信号電圧検出ラインＤ２から伝達される信号電圧の大きさに基づいて車両１０との接続状態が判断される。コネクター１２ａがインレット１５に接続されていればステップＡ２０へ進み、接続されていなければステップＡ５０へ進む。
【００５７】
ステップＡ２０では、外部電源の許容電流の大きさに対応するデューティ比を持つパイロット信号がパイロットコントローラー９で生成され、信号線Ｌ３に出力される。デューティ比は、例えば交流電流の実効値に対応する大きさとされる。このパイロット信号は、外部電源による給電中には常に信号線Ｌ３から車載コントローラー１側へと伝達される。
【００５８】
続くステップＡ３０では、車両１０側の充電許可スイッチ１７及び暖機ヒータースイッチ１８がともにオフであるか否かが判定される。これらのスイッチ１７，１８の操作状態も、信号電圧検出ラインＤ２から伝達される信号電圧の大きさに基づいて判定される。ここで充電許可スイッチ１７及び暖機ヒータースイッチ１８がともにオフ状態である場合にはステップＡ５０へ進み、少なくとも何れか一方がオン状態であればステップＡ４０へ進む。
【００５９】
ステップＡ４０では、パイロットコントローラー９からリレー１９へと制御信号が出力され、リレー１９が接続状態に制御される。これにより、外部電源の電力が電源線Ｌ１，Ｌ４を介してヒーター７，車載充電器８側へと供給される。
【００６０】
一方、ステップＡ５０に進んだ場合には、ステップＡ３０に進んだ場合とは異なる制御信号がパイロットコントローラー９からリレー１９へと出力され、リレー１９が切断状態に制御される。これにより、コンセント１６側からの電力供給が遮断される。したがって、例えば外部電源からの給電中にコネクター１２ａが外れた場合や、充電許可スイッチ１７，暖機ヒータースイッチ１８がともにオフ操作されたような場合には、リレー１９よりもコネクター１２ａ側への給電が停止する。
【００６１】
［４−２．車載コントローラー］
図４は、車載コントローラー１で実施される制御の手順を示すフローチャートである。車載コントローラー１は、図示しない車載バッテリーからの電力供給を受けて通電し、ヒーター７の動作や車載充電器８の動作を所定の周期（例えば、数[ms]周期）で繰り返し制御する。
【００６２】
ステップＢ１０では、パイロットコントローラー９から出力されたパイロット信号が車載コントローラー１に入力されているか否かが判定される。ここで、信号線Ｌ６を介してパイロット信号が入力されている場合には、ステップＢ２０に進む。一方、パイロット信号が入力されていない場合には、この演算周期での制御が終了し、次回の演算周期で再びステップＢ１０から、制御が実施される。
【００６３】
ステップＢ２０では、電流検出部２において、パイロット信号のデューティ比に基づいて外部電源の許容電流値Iが検出されるとともに、電圧検出部３において、電源線Ｌ４の電圧値が出力電圧値Vとして検出される。また、続くステップＢ３０では、温度センサー２４で検出されたバッテリー温度Tの情報が車載コントローラー１に入力される。ここで取得されたバッテリー温度Tの情報は、暖機制御の終了条件を判定するために用いられる。また、電流検出部２において、バッテリー温度Tに基づいて許容電流値Iを補正してもよい。
【００６４】
ステップＢ４０では、充電許可スイッチ１７がオン状態であるか否かが判定される。ここで、充電許可スイッチ１７がオン状態である場合にはステップＢ５０に進み、外部電源によるバッテリー６の充電が実施される。一方、充電許可スイッチ１７がオフ状態である場合には、充電制御に係るステップＢ５０〜Ｂ７０をスキップして、ステップＢ８０に進む。
【００６５】
ステップＢ６０では、バッテリー６が満充電であるか否かが判定される。ここでは、充電制御の終了条件が判定される。バッテリー６が満充電でない場合には、この演算周期での制御が終了し、次回の演算周期で制御が再びステップＢ１０から実施される。この場合、バッテリー６が満充電になるまで外部電源による充電制御が継続される。一方、ステップＢ６０でバッテリー６が満充電であると判定された場合には、ステップＢ７０に進む。
【００６６】
ステップＢ７０では、充電許可スイッチ１７が車載コントローラー１により自動的にオフ状態に制御される。また、続くステップＢ８０では、暖機制御の開始条件が成立するか否かが判定される。例えば、暖機ヒータースイッチ１８がオン状態であるか否かが判定される。ここで暖機ヒータースイッチ１８がオン状態の場合にはステップＢ９０に進む。一方、暖機ヒータースイッチ１８がオフ状態である場合には、本フローが終了する。この場合、充電許可スイッチ１７及び暖機ヒータースイッチ１８がともにオフ状態となっているため、パイロットコントローラー９によってリレー１９が切断状態に制御される。
【００６７】
ステップＢ９０では、抵抗変更部５において、外部電源の出力電圧値Vと許容電流値Iとに基づいて電気抵抗値Rが算出される。ここでは、許容電流値Iに対する出力電圧値Vの比の値（V/I）が電気抵抗値Rとして算出される。例えば、外部電源の出力電圧値V，許容電流値Iの組み合わせが120[V]，8[A]（仕様Ａ）であるとき、ここで算出される電気抵抗値Rは15[Ω]となる。また、外部電源の仕様が240[V]，8[A]（仕様Ｂ）であるときの電気抵抗値Rは30[Ω]となり、240[V]，16[A]（仕様Ｃ）であるときの電気抵抗値Rは15[Ω]となる。
【００６８】
ステップＢ１００では、前ステップで算出された電気抵抗値Rが15[Ω]であるか否かが判定される。例えば、外部電源の仕様が上記の仕様Ａ又は仕様Ｃである場合には電気抵抗値Rが15[Ω]となり、この条件が成立するため、ステップＢ１２０に進む。ステップＢ１２０では、ヒーター７の第一スイッチ７ａがオン状態に制御されるとともに、ヒーター７の第二スイッチ７ｂがオフ状態に制御される。つまり、ヒーター７の抵抗発熱体の抵抗値が許容電流値Iに対する出力電圧値Vの比の値（V/I）に対応するように、ヒーター７の通電状態が制御される。これにより、第一抵抗器Ｈ１のみに通電されることになる。
【００６９】
一方、ステップＢ１００での判定条件が不成立の場合にはステップＢ１１０に進む。ステップＢ１１０では、電気抵抗値Rが30[Ω]であるか否かが判定される。例えば、外部電源の仕様が上記の仕様Ｂである場合には電気抵抗値Rが30[Ω]となり、この条件が成立するため、ステップＢ１３０に進む。ステップＢ１３０では、第一スイッチ７ａがオフ状態に制御されるとともに、第二スイッチ７ｂがオン状態に制御される。つまりこの場合も、ヒーター７の抵抗発熱体の抵抗値が許容電流値Iに対する出力電圧値Vの比に対応するように、ヒーター７の通電状態が制御され、第二抵抗器Ｈ２のみに通電される。
【００７０】
ステップＢ１００，Ｂ１１０の条件が不成立の場合にはステップＢ１４０に進み、両方のスイッチ７ａ，７ｂがオフ状態に制御されて、暖機制御が不実施とされる。また、ステップＢ１２０，Ｂ１３０，Ｂ１４０の各々に続いて実施されるステップＢ１５０では、暖機制御の終了条件が成立したか否かが判定される。例えば、バッテリー温度Tが所定温度T0以上になったか否かが判定される。この条件が成立するまでは、次回の演算周期で制御が再びステップＢ１０から実施され、暖機制御が継続される。
【００７１】
また、暖機制御の終了条件が成立するとステップＢ１６０に進み、暖機ヒータースイッチ１８が車載コントローラー１により自動的にオフ状態に制御される。これにより、パイロットコントローラー９ではリレー１９が切断され、外部電源からの給電が遮断されて、暖機制御が完了する。
【００７２】
［５．作用，効果］
（１）上記の車載コントローラー１では、電流検出部２で検出された外部電源の許容電流値Iと電圧検出部３で検出された外部電源の出力電圧値Vとに基づいて、ヒーター７の電気抵抗値Rが変更される。例えば、外部電源の電流，電圧の仕様が上記の仕様Ａである場合には、ヒーター７の電気抵抗値Rが15[Ω]に設定される。一方、仕様Ｂの外部電源が接続された場合には、自動的にヒーター７の電気抵抗値Rが30[Ω]に変更される。このように、あらゆる外部電源の仕様に対して適切な電気抵抗値Rを設定することができる。したがって、充電設備の仕様に依存することなく適切に暖機制御を実施することができる。
【００７３】
（２）上記の車載コントローラー１では、ヒーター７の電気抵抗値Rが、許容電流値Iに対する出力電圧値Vの比（V/I）に応じた値に設定される。このような制御構成により、ヒーター７に実際に通電される電流値を許容電流値Iに一致させることができ、外部電源の給電能力を最大に活用して効率的に暖機を行うことができる。また、許容電流値Iを超えるような過大な電流が外部電源から引き出される（過大な電流がヒーター７に流れる）ことがないため、外部電源のブレーカー（遮断器）を作動させる心配がなく、適切にヒーター７を作動させ続けることができる。
【００７４】
（３）上記の車載コントローラー１では、パイロットコントローラー９から出力されるパイロット信号のデューティ比に基づいて、外部電源の許容電流値Iが検出される。一方、既存の充電システムでは、外部電源によるバッテリー６の充電時に、外部電源の定格電流の情報をパイロット信号のデューティ比として車載コントローラー１に送信するものが開発されている。このような充電制御用のパイロット信号を利用して暖機制御を実施することで、既存の充電システムや通信規格に変更を加えることなく、適切にヒーター７を作動させることができる。
【００７５】
（４）上記のヒーター７には複数の抵抗器Ｈ１，Ｈ２が設けられるとともに、それぞれの抵抗器Ｈ１，Ｈ２への通電状態を制御するためのスイッチ７ａ，７ｂが設けられ、スイッチ７ａ，７ｂの断接状態が上記の車載コントローラー１で制御される。このような簡素な装置構成により、充電システムのコストを低減させることができるとともに、適切に暖機を実施することができる。また、車両１０の仕向け先に応じて抵抗器Ｈ１，Ｈ２を変更する場合に、抵抗器Ｈ１，Ｈ２の交換が容易であるというメリットがある。
【００７６】
（５）上記の車載コントローラー１では、図４に示すように、充電許可スイッチ１７がオン操作されている場合には、暖機制御よりも充電制御が優先的に実施される。また、暖機制御はバッテリー６が満充電状態となってから実施される。したがって、確実にバッテリー６を充電させることができる。
【００７７】
［６．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。
上述の実施形態では、複数の抵抗器Ｈ１，Ｈ２及び複数のスイッチ７ａ，７ｂを内蔵したヒーター７を例示したが、代わりに電子制御式の可変抵抗器（ディジタルポテンショメーター）を用いてヒーター７の電気抵抗値Rを変更してもよい。すなわち、可変抵抗器の電気抵抗値Rを、外部電源の出力電圧値Vと許容電流値Iとに基づいて変更してもよい。
【００７８】
この場合、可変抵抗器の電気抵抗値Rは、上述の実施形態と同様に、許容電流値Iに対する出力電圧値Vの比（V/I）に応じた大きさとすることが考えられる。このような制御構成により、上述の実施形態と同様の作用，効果を奏するものとなる。また、単一の可変抵抗器で多様な外部電源の仕様に対応することができ、コストをさらに削減することができる。
【００７９】
さらに、可変抵抗器を用いることで、上記の仕様Ａ〜仕様Ｃとは僅かに異なる仕様の外部電源に対しても、適切な電気抵抗値Rを設定することが可能となる。例えば、外部電源がやや劣化しており、出力電圧が定格電圧よりも若干低い場合には、それに応じてヒーター７の電気抵抗値Rが小さく設定される。つまり、ヒーター７での発熱量が減少し、外部電源に対するヒーター７の電気的負荷が軽減される。したがって、外部電源から過大な電流が引き出されること（ブレーカーの作動）を防止することができ、適切にヒーター７を作動させることができる。
【００８０】
また、上述の実施形態では、バッテリー６を昇温させるためのヒーター７を装備した電気自動車又はハイブリッド自動車を例示したが、ヒーター７で発生する熱の供給先はバッテリー６のみに限定されない。例えば、ハイブリッド自動車に搭載されるエンジン本体やエンジンオイル，エンジン冷却水，その他の車載装置等を暖めるためにヒーター７の熱を利用してもよいし、あるいは走行用のモーター２０を暖めるためにヒーター７の熱を利用してもよい。少なくとも、車両１０の冷態始動時にパワープラント（動力装置）を暖めることで、車両１０の始動性を向上させることができる。
【００８１】
また、上述の実施形態では、暖機制御よりも充電制御が優先的に実施されるフローチャートを例示したが、暖機制御を充電制御よりも優先してもよいし、あるいはこれらを同時に実施してもよい。少なくとも、暖機制御の実施時にヒーター７の電気抵抗値Rを変更することで、上述の実施形態と同様の作用，効果を奏するものとなる。
【符号の説明】
【００８２】
１  車載コントローラー
２  電流検出部（電流検出手段）
３  電圧検出部（電圧検出手段）
４  条件判定部
５  抵抗変更部（抵抗変更手段）
６  バッテリー
７  ヒーター
７ａ  第一スイッチ（複数のスイッチ）
７ｂ  第二スイッチ（複数のスイッチ）
９  パイロットコントローラー（パイロット信号出力手段）
１３  コントロールボックス
Ｈ１  第一抵抗器（複数の抵抗器）
Ｈ２  第二抵抗器（複数の抵抗器）
I  許容電流値
V  出力電圧値
R  電気抵抗値
【図１】
2015027220.tif 000004
【図２】
2015027220.tif 000005
【図３】
2015027220.tif 000006
【図４】
2015027220.tif 000007